(57)【特許請求の範囲】
【請求項１】
中空の管状をなし、小径側端と大径側端の両方が開口しているボディと、
中空の管状をなし、底部により閉塞され、前記底部に貫通穴を有する小径側端と、前記ボディの大径側端と同径の開口した大径側端とを有し、前記ボディの大径側端の端面と当該大径側端の端面を重ね合わせた状態で前記ボディに連結可能なヘッドと、
前記貫通孔に挿入されて軸方向に摺動可能な棒状部材と、
前記棒状部材の一端に固定されて前記ヘッドに支持されるインナーヘッドと、
を具備し、
前記ボディと前記ヘッドとが分離されて前記ボディにおける内周面に囲まれた空間に前記ヘッドが収容され、前記ヘッドにおける内周面に囲まれた空間に前記インナーヘッドが収容されることを特徴とする消音器。
【請求項２】
前記ボディは、当該ボディの小径側端からベル内に挿入されて前記ベルの内周面に固定された状態において当該ボディの大径側端が前記ベルの端面の近傍または前記ベルの端面よりも後方に位置することを特徴とする請求項１に記載の消音器。
【請求項３】
中空の管状をなし、大径側端と小径側端の両方が開口しており、当該大径側端に対して固定された支持部材を有するボディと、
中空の管状をなし、底部により閉塞された小径側端と、前記ボディの大径側端と同径の開口した大径側端とを有し、前記ボディの大径側端の端面と当該大径側端の端面を重ね合わせた状態で前記ボディに連結可能なヘッドと、
前記支持部材に一端が固定され、前記ボディの軸方向に長さ調整が可能な棒状部材と、
前記棒状部材の他端に固定されたインナーヘッドと、
を具備し、
前記ボディにおける内周面に囲まれた空間に前記インナーヘッドが前記ボディの小径側端を介して収容され、前記ボディと前記ヘッドとが分離されて前記ヘッドにおける内周面に囲まれた空間に前記ボディが収容されることを特徴とする消音器。
【請求項４】
中空の管状をなし、大径側端と小径側端の両方が開口しており、当該大径側端に対して固定された支持部材を有するボディと、
中空の管状をなし、底部により閉塞され、前記底部に貫通穴を有する小径側端と、前記ボディの大径側端と同径の開口した大径側端とを有し、前記ボディの大径側端の端面と当該大径側端の端面を重ね合わせた状態で前記ボディに連結可能なヘッドと、
前記支持部材に一端が固定された棒状部材と、
前記棒状部材の他端が挿入されて前記棒状部材に沿って摺動可能なインナーヘッドと、
を具備し、
前記ボディにおける内周面に囲まれた空間に前記インナーヘッドが前記ボディの小径側端を介して収容され、
前記ボディと前記ヘッドとが分離されて、前記インナーヘッドを貫通した前記棒状部材の他端側が前記ヘッドの貫通穴に挿入されて、前記ヘッドにおける内周面に囲まれた空間に前記ボディが収容されることを特徴とする消音器。
【請求項５】
中空の管状をなし、小径側端と大径側端の両方が開口している第１のボディと、
中空の管状をなし、閉塞した小径側端と、前記第１のボディの大径側端と同径の開口した大径側端とを有するヘッドと、
前記第１のボディの大径側端と同径の円環状をなし、支持部材を有する第２のボディであって、前記第１のボディの大径側端の端面と当該第２のボディの一方の端面を重ね合わせ、前記ヘッドの大径側端の端面と当該第２のボディの他方の端面を重ね合わせた状態で前記第１のボディおよび前記ヘッドに連結可能な第２のボディと、
前記支持部材に一端が固定され、前記第２のボディの軸方向に長さ調整が可能な棒状部材と、
前記棒状部材の他端に固定されたインナーヘッドと、
を具備し、
前記第１のボディと前記ヘッドと前記第２のボディが各々分離されて、前記第１のボディにおける内周面に囲まれた空間に前記ヘッドが収容され、前記ヘッドにおける内周面に囲まれた空間に前記インナーヘッドが収容されることを特徴とする消音器。
【請求項６】
前記インナーヘッドは、前記ボディまたは前記第１のボディの小径側端の開口を通過可能な形状であることを特徴とする請求項１から５のいずれか１の請求項に記載の消音器。
【発明の詳細な説明】
【技術分野】
【０００１】
この発明は、管楽器に用いる消音器に関する。
【背景技術】
【０００２】
管楽器の吹奏時の音量を少なくする目的でベルに装着されて使用される消音器がある。管楽器のベルとは、音量を増大させるために管楽器の管の径が徐々に広げられた呼気の排出口付近の部分のことを言う。本明細書では、管楽器のベルの端面からベル内へ向かう方向を後方と呼び、ベルの端面からベル外へ向かう方向を前方と呼ぶ。
【先行技術文献】
【特許文献】
【０００３】
【特許文献１】特許第３５５２０２６号公報
【発明の概要】
【発明が解決しようとする課題】
【０００４】
大きな音量で吹奏することができない場所や状況において管楽器の吹奏を行う場合、消音器は欠かせないものである。このため、例えば、楽器収納ケースに管楽器とともに消音器を収納するというように、消音器を管楽器と合わせて収納できると便利である。管楽器と一緒に消音器が収納されていれば、管楽器および消音器の持ち運びの煩わしさを減らすことができ、管楽器の吹奏を行う際には即座に消音器を使用することができるからである。しかし、多くの楽器収納ケースの収納スペースには限りがある。具体的には、管楽器が収納された楽器収納ケース内における空きスペースは、手入れ用品等を収納するための小物入れを除けば、管楽器のベル内のスペースくらいである。小物入れによる空きスペースはベル内のスペースよりも小さいことが多いため、管楽器のベル内のスペースに消音器が収納できると良い。
【０００５】
ところで、この種の管楽器用の消音器には、当該消音器を使用して吹奏したときの音程のずれを抑えるインナーヘッドが設けられているものもある。インナーヘッドは、例えば、ベルの内周面と当該インナーヘッドとの間に呼気が通過する隙間を形成するような部材である。このようなインナーヘッドが設けられている消音器では、管楽器と一緒に当該消音器を収納することがより困難である。
【０００６】
この発明は以上のような事情に鑑みてなされたものであり、収納時に管楽器と一緒に収納可能な消音器を提供することを目的としている。
【課題を解決するための手段】
【０００７】
この発明は、中空の管状をなし、小径側端と大径側端の両方が開口しているボディと、中空の管状をなし、底部により閉塞され、前記底部に貫通穴を有する小径側端と、前記ボディの大径側端と同径の開口した大径側端とを有し、前記ボディの大径側端の端面と当該大径側端の端面を重ね合わせた状態で前記ボディに連結可能なヘッドと、前記貫通孔に挿入されて軸方向に摺動可能な棒状部材と、前記棒状部材の一端に固定されて前記ヘッドに支持されるインナーヘッドと、を具備し、前記ボディと前記ヘッドとが分離されて前記ボディにおける内周面に囲まれた空間に前記ヘッドが収容され、前記ヘッドにおける内周面に囲まれた空間に前記インナーヘッドが収容されることを特徴とする消音器を提供する。
【０００８】
この発明の消音器の使用の際には、ボディの大径側端の端面とヘッドの大径側端の端面を重ね合わせた状態でボディとヘッドが連結される。この状態の消音器は、ボディにおける内周面に囲まれた空間およびヘッドにおける内周面に囲まれた空間によってベル内の音をミュート（消音）する。一方、この発明の消音器の収納の際には、ボディとヘッドとが分離されてボディにおける内周面に囲まれた空間にヘッドが収容され、ヘッドにおける内周面に囲まれた空間にインナーヘッドが収容される。この状態の消音器のボディがベル内に挿入されると、消音器全体がベル内のスペースに収容される。従って、この発明によれば、収納時に管楽器と一緒に収納可能な消音器を実現することができる。
【０００９】
また、ボディとヘッドが連結された状態の消音器では、棒状部材の摺動によりインナーヘッドがベル内の適切な位置に配置される。このため、ベルの内周面とインナーヘッドとの間に隙間ができ、この隙間を通って呼気がボディおよびヘッド内の空間に導入されることになる。従って、この発明によれば、消音器を使用して吹奏したときの音程のずれを抑えることができる。
【００１０】
消音器の一例として、特許文献１には、チューバ用消音器が開示されている。特許文献１のチューバ用消音器は、消音器本体と、消音器本体から後方へ延びる支持部と、当該支持部から後方へ向けて延びる調整筒と、を備えている。このチューバ用消音器の消音器本体は、チューバのベルの先端寄りに開口周縁部を当接させる環状の後端部と、ベルの端面より前方へ離れて位置する前壁と、後端部および前壁を連結する側壁とを備えている。このチューバ用消音器では、消音器本体の後端部の開口周縁部がベルの先端寄りに当接されるため、消音器本体のほとんどの部分がベルの端面よりもベルの外に配置される。このため、このチューバ用消音器では、当該チューバ用消音器の全体をベル内のスペースに収容することができない。従って、このチューバ用消音器では、収納時に管楽器と一緒に消音器を収納することができない。
【図面の簡単な説明】
【００１１】
【図１】この発明の第１実施形態による消音器１の使用時における構成を示す縦断面図である。
【図２】同消音器１の収納時における構成を示す縦断面図である。
【図３】同消音器１の連結部材４０の構成を示す断面図である。
【図４】使用時の形態から収納時の形態へ組み替える手順を説明する同消音器１の組み立て図である。
【図５】使用時の形態から収納時の形態へ組み替える手順を説明する同消音器１の組み立て図である。
【図６】使用時の形態から収納時の形態へ組み替える手順を説明する同消音器１の組み立て図である。
【図７】使用時の形態から収納時の形態へ組み替える手順を説明する同消音器１の組み立て図である。
【図８】この発明の第２実施形態による消音器１Ａの使用時における構成を示す縦断面図である。
【図９】同消音器１Ａの収納時における構成を示す縦断面図である。
【図１０】使用時の形態から収納時の形態へ組み替える手順を説明する同消音器１Ａの組み立て図である。
【図１１】使用時の形態から収納時の形態へ組み替える手順を説明する同消音器１Ａの組み立て図である。
【図１２】使用時の形態から収納時の形態へ組み替える手順を説明する同消音器１Ａの組み立て図である。
【図１３】この発明の第３実施形態による消音器１Ｂの使用時における構成を示す縦断面図である。
【図１４】同消音器１Ｂの収納時における構成を示す縦断面図である。
【図１５】使用時の形態から収納時の形態へ組み替える手順を説明する同消音器１Ｂの組み立て図である。
【図１６】使用時の形態から収納時の形態へ組み替える手順を説明する同消音器１Ｂの組み立て図である。
【図１７】使用時の形態から収納時の形態へ組み替える手順を説明する同消音器１Ｂの組み立て図である。
【図１８】この発明の第４実施形態による消音器１Ｃの使用時における構成を示す縦断面図である。
【図１９】同消音器１Ｃの収納時における構成を示す縦断面図である。
【図２０】使用時の形態から収納時の形態へ組み替える手順を説明する同消音器１Ｃの組み立て図である。
【図２１】使用時の形態から収納時の形態へ組み替える手順を説明する同消音器１Ｃの組み立て図である。
【図２２】使用時の形態から収納時の形態へ組み替える手順を説明する同消音器１Ｃの組み立て図である。
【図２３】使用時の形態に組み替えた消音器１を、想定のベルよりも小さいベル３Ｄのチューバに装着したときの消音器１の縦断面図である。
【発明を実施するための形態】
【００１２】
以下、図面を参照し、この発明の実施形態について説明する。
＜第１実施形態＞
この発明の第１実施形態による消音器１は、チューバ用の消音器である。本明細書では、管状の部材や棒状の部材における回転対称軸となる中心線のことを当該部材の軸と呼ぶ。
【００１３】
図１および図２は、本実施形態による消音器１が収容されたベル３の軸に沿って消音器１およびベル３を切断した縦断面を示している。本実施形態において、消音器１の形態は、消音器としての機能（すなわちミュート機能）を発揮させる場合と、楽器収納ケースに収納して持ち運んだりする場合とで異なる。図１は、前者の使用時の形態の消音器１がベル３に装着されている状態を表しており、図２は、後者の収納時の形態の消音器１がベル３内に収容されている状態を表している。本実施形態においてユーザは、消音器１を図１に示す使用時の形態から図２に示す収納時の形態に組み替え、図２に示す収納時の形態から図１に示す使用時の形態に組み替えることが可能である。
【００１４】
消音器１は、本体部１０、棒状部材５０およびインナーヘッド６０を有している。本体部１０は、ボディ２０、ヘッド３０および連結部材４０から構成されている。ボディ２０とヘッド３０とは、連結部材４０によって互いに連結可能であり、連結部材４０を取り外すことにより互いに分離することが可能である。
【００１５】
ボディ２０は、略円錐管状に構成された中空の部材である。本明細書において、略円錐管状とは、軸に垂直な断面形状が円環状であり、一端から他端に進むに従って次第に外径および内径が大きくなる（あるいは小さくなる）管の形状をいう。また、略円錐管状の部材における外径および内径が大きい方の端を大径側端と呼び、略円錐管状の部材における外径および内径の小さい方の端を小径側端と呼ぶ。ボディ２０の大径側端２１と小径側端２２は、共に開口している。ボディ２０は、その小径側端２２側からベル３内に挿入される。このため、ボディ２０の小径側端２２はボディ２０の後端であり、ボディ２０の大径側端２１はボディ２０の前端である。
【００１６】
ボディ２０の外周面には、ウレタンなどの柔軟な素材から構成されたスポンジなどの緩衝材２４がボディ２０の軸の周りにわたって設けられている。ベル３内に収容されたボディ２０は、当該ボディ２０の外周面とベル３の内周面との間に緩衝材２４を挟んでベル３に固定される。この状態において、ボディ２０の外周面とベル３の内周面との間は緩衝材２４によって塞がれる。また、ボディ２０は、ベル３の内周面に固定された状態において大径側端２１がベル３の端面の近傍またはベル３の端面よりも後方に位置するように大径側端２１および小径側端２２の寸法が決定されている。図１の例では、ボディ２０の大径側端２１がベル３の端面に丁度位置している。また、図１の例では、ボディ２０は、小径側端２２から大径側端２１に進むに従ってベル３の内周面にほぼ沿うように大径化している。
【００１７】
ボディ２０の大径側端２１には、フランジ２３が設けられている。フランジ２３は、ボディ２０の軸から遠ざかる方向に大径側端２１から張り出す板状の部材である。フランジ２３の外縁は、円形となっている。フランジ２３の外径は、ベル３の端部の内径よりも小さくなっている。
【００１８】
ヘッド３０は、略円錐管状に構成された中空の部材である。ヘッド３０は、ボディ２０と同様に、軸方向両側に小径側端３２と大径側端３１を有している。ここで、大径側端３１は開口端、小径側端３２は閉塞端となっている。ヘッド３０の軸方向の長さは、ボディ２０の軸方向の長さよりも短くなっている。ヘッド３０の大径側端３１の内径は、ボディ２０の大径側端２１の内径と同じになっている。
【００１９】
ヘッド３０の大径側端３１には、フランジ３３が設けられている。フランジ３３は、ヘッド３０の軸から遠ざかる方向に大径側端３１から張り出す板状の部材である。フランジ３３の外縁は、円形となっている。ヘッド３０のフランジ３３の外径は、ボディ２０のフランジ２３の外径と同じになっている。
【００２０】
ヘッド３０の小径側端３２の外径は、ボディ２０の小径側端３２の外径と同程度になっている。ヘッド３０の小径側端３２には、底部３４が設けられている。底部３４は、ヘッド３０の小径側端３２を閉塞する円形の板状の部材である。底部３４の縁は、ヘッド３０の側壁に連続している。底部３４は、ヘッド３０の軸にほぼ直交している。底部３４におけるヘッド３０の内周面に囲まれた空間側の面を内側面と呼び、底部３４における当該内側面に対して反対側の面を外側面と呼ぶ。
【００２１】
ヘッド３０とボディ２０は、連結部材４０により連結可能である。具体的には、連結部材４０は、ゴムなどの弾性体によって構成された円環状の部材である。図３は、連結部材３０の円周に直交する面で連結部材４０を切断したときの連結部材４０の切断面を表す断面図である。図３に示すように、連結部材４０の切断面は、連結部材４０の内周側の側面の中央付近が外周側方向に窪む略Ｕ字状になっている。
【００２２】
図１に示す使用時の形態の消音器１では、大径側端２１の端面であるフランジ２３のシール面２３Ｓと大径側端３１の端面であるフランジ３３のシール面３３Ｓとが重ね合されている。連結部材４０は、その窪み部４２にフランジ２３および３３の両方が挿入されるように、フランジ２３および３３に取り付けられる。これにより、ボディ２０とヘッド３０が連結されて互いに固定される。このようにしてボディ２０とヘッド３０とが連結されると、ボディ２０とヘッド３０の間は密閉される。また、このような状態では、ボディ２０における内周面により囲まれた空間（ボディ２０内の空間）とヘッド３０における内周面により囲まれた空間（ヘッド３０内の空間）とが一体となった空間Ｓが形成される。
【００２３】
図１に示すように、ヘッド３０の底部３４の中心には、当該底部３４を貫通する円形の貫通孔３５が設けられている。貫通孔３５には、円柱状の棒状部材５０が挿入されている。棒状部材５０は、底部３４に対して軸方向に摺動可能になっている。棒状部材５０の軸方向の長さは、ヘッド３０の軸方向の長さとボディ２０の軸方向の長さを合わせた長さよりも長くなっている。
【００２４】
棒状部材５０における底部３４の外側面側の端部５２には、ツバ５３が設けられている。ツバ５３は、棒状部材５０が端部５２から底部３４の内側面側の端部５１に向かう方向に摺動されたときに、当該棒状部材５０が貫通孔３５から抜け出るのを防止する部材である。
【００２５】
底部３４の貫通穴３５部分には、ストッパ３６が設けられている。ストッパ３６は、棒状部材５０の摺動を制止して当該棒状部材５０をヘッド３０に固定する摺動制止手段である。ストッパ３６は、例えば、ユーザによる回転操作子３７の回転操作に応じて、棒状部材５０が摺動可能な状態と棒状部材５０がヘッド３０に固定された状態とを切り換えることが可能な構成となっている。棒状部材５０がヘッド３０に固定された状態では、貫通孔５０は密閉される。
【００２６】
インナーヘッド６０は、小径側端から大径側端に進むに従って次第に外径が大きくなるような外周面を有する部材である。図１の例では、インナーヘッド６０は、中空の略円錐管状をなしている。インナーヘッド６０の軸方向の長さは、ヘッド３０の軸方向の長さよりも短くなっている。インナーヘッド６０の大径側端４１は、開口している。インナーヘッド６０の大径側端６１の外径は、ボディ２０の小径側端２２の内径よりも小さくなっている。
【００２７】
インナーヘッド６０の小径側端６２には、底部６４が設けられている。底部６４は、インナーヘッド６０の小径側端６２を閉塞する円形の板状の部材である。底部６４の縁は、インナーヘッド６０の側壁に連続している。底部６４は、インナーヘッド６０の軸にほぼ直交している。底部６４におけるインナーヘッド６０の内周面に囲まれた空間側の面を内側面と呼び、底部６４における当該内側面に対して反対側の面を外側面と呼ぶ。
【００２８】
インナーヘッド６０は、当該インナーヘッド６０の大径側端６１の端面がヘッド３０の底部３４の内側面に対向する姿勢で棒状部材５０に固定されてヘッド３０に支持されている。より詳細には、棒状部材５０の端部５１がインナーヘッド６０の底部６４の内側面の中心部分に固定されている。インナーヘッド６０は、端部５１から端部５２に向かう方向の棒状部材５０の摺動に応じて、ヘッド３０内に収容される。さらに詳細には、図２に示すように、インナーヘッド６０の大径側端６１がヘッド３０の底部３４の内側面の近傍に配置されると、インナーヘッド６０の小径側端６２は、ヘッド３０の大径側端３１の端面よりも内側に配置される。一方、ヘッド３０内に収容されていたインナーヘッド６０は、端部５２から端部５１に向かう方向の棒状部材５０の摺動に応じて、ヘッド３０の大径側端３１側からヘッド３０外に出る。図１に示す使用時の形態では、インナーヘッド６０の大径側端６１の端面がヘッド３０の大径側端３１の端面に対向するようにインナーヘッド６０全体がヘッド３０外に出ており、インナーヘッド６０の小径側端６２が空間Ｓ外の空間に配置されている。
【００２９】
ヘッド３０の底部３４には、空気穴３８が貫通している。空気穴３８は、例えば円形の穴であり、底部３４の中心から外れた位置に設けられている。底部３４の内側面における空気穴３８の縁部分には、空気穴３５の径と同じ内径で両端が開口している円管状のパイプ３９の一端が固定されている。パイプ３９の軸方向の長さは、インナーヘッド６０の軸方向の長さよりも短くなっている。すなわち、パイプ３９は、インナーヘッド６０のヘッド３０内への収納を妨げないように設けられている。パイプ３９の内径および空気穴３８の径は、マウスピースの最小内径と同径以上となっている。
以上が、消音器１の構成である。
【００３０】
消音器１にミュート機能を発揮させる場合、ユーザは、ヘッド３０のフランジ３３のシール面３３Ｓをボディ２０のフランジ２３のシール面２３Ｓに重ね合わせて連結部材４０によってフランジ３３および２３を挟んでヘッド３０とボディ２０を連結する。また、ユーザは、棒状部材５０の端部５２が底部３４付近に位置するように棒状部材５０を摺動して、ストッパ３６の回転操作子３７を時計回りに回転して棒状部材５０をヘッド３０に固定する。このようにして、ユーザは、消音器１を図１に示す使用時の形態に組み立てる。
【００３１】
その後、ユーザは、この形態の消音器１をインナーヘッド６０の小径側端６２側からチューバのベル３内に挿入する。ボディ２０の緩衝材２４がベル３の内周面に接触してボディ２０がベル３の内周面に固定されると、ヘッド３０の小径側端３２の底部３４は、ベル３の端面よりも前方に配置される。そして、ユーザは、消音器１が装着されたチューバを吹奏する。吹奏によりベル３内に生じた音は、ボディ２０およびヘッド３０内の一体となった空間Ｓに伝搬される。空間Ｓに伝搬された音は、空間Ｓにおいてミュート（消音）される。すなわち、この使用時の形態の消音器１は、従来の消音器と同様にベル３内に生じた音をミュートする。
【００３２】
また、使用時の形態の消音器１がベル３に装着された状態では、インナーヘッド６０が適正な位置に配置されてインナーヘッド６０の外周面がベル３の内周面に向けて張り出した状態になる。マウスピースからチューバ内に導入された呼気は、インナーヘッド６０の小径側端６４が閉塞しているため、インナーヘッド６０の外周面とベル３の内周面との間に形成された隙間を通ってボディ２０の小径側端２２を介して空間Ｓへ導入される。空間Ｓへ導入される呼気の呼気流路がインナーヘッド６０によって狭くなっているため、ミュートされていない時の音の音程に対するミュートされた時の音の音程のずれが抑えられる。また、空間Ｓへ導入された呼気は、パイプ３９内および空気穴３８を通って消音器１の外部の空間に排出される。
【００３３】
次に、使用していた消音器１を収納する場合について説明する。図４〜図７は、使用時の形態から収納時の形態へ組み替える手順を説明する消音器１の組み立て図である。ユーザは、使用していた消音器１を収納する場合、図１→図４→図５→図６→図７→図２の順に消音器１の形態を変える。
【００３４】
まず、ユーザは、チューバに装着されている消音器１（図１の消音器１）をベル３外に取り外す。次に、ユーザは、図４に示すように、連結部材４０をフランジ２３および３３から取り外す。これにより、連結されていたボディ２０とヘッド３０とが分離されて、消音器１は、ヘッド３０と棒状部材５０とインナーヘッド６０とが一体となった部分（以下、ヘッド側部分３００と呼ぶ）と、ボディ２０と、連結部材４０とに分かれる。次に、ユーザは、ボディ２０および連結部材４０に対してヘッド３０が軸に沿って離れるようにヘッド側部分３００を移動する。このヘッド側部分３００の移動に際して、インナーヘッド６０は、ボディ２０の小径側端２２側からボディ２０内に入り、ボディ２０の大径側端２１側からボディ２０外へ出るというように、ボディ２０内を通過する。また、連結部材４０は、インナーヘッド６０の大径側端６１側からインナーヘッド６０の外周上のエリア内に入り、小径側端６２側からインナーヘッド６０の外周上のエリア外へ出るというように、インナーヘッド６０の外周上を通過する。この図４に示す状態では、インナーヘッド６０の小径側端６２の端面（すなわち、底部６４の外側面）とボディ２０の大径側端２１の端面とが対向している。
【００３５】
次に、ユーザは、図５に示すように、ヘッド３０とインナーヘッド６０の位置を入れ替えるようにしてヘッド側部分３００の姿勢を前後反転した姿勢にする。これにより、ヘッド３０の小径側端３２の端面（すなわち、底部３４の外側面）がボディ２０の大径側端２１の端面に対向する。
【００３６】
次に、ユーザは、図６に示すように、インナーヘッド６０をヘッド３０内に収容する。より詳細には、まず、ユーザは、ヘッド３０のストッパ３６の回転操作子３７を反時計回りに回転操作して、ヘッド３０における棒状部材５０を把持する力を弱めて、棒状部材５０を摺動可能な状態にする。次に、ユーザは、棒状部材５０をその端部５１から端部５２に向かう方向に摺動してインナーヘッド６０を移動する。棒状部材５０の摺動に応じて、インナーヘッド６０は、その大径側端６１側からヘッド３０の開口している大径側端３０を介してヘッド３０内に挿入される。そして、インナーヘッド６０全体がヘッド３０内に収容される。このとき、棒状部材５０の端部５２は、インナーヘッド６０がヘッド３０内に収容される前に比べヘッド３０の底部３４の外側面側に大きく突出する。そして、ユーザは、インナーヘッド６０がヘッド３０に収容された状態で、ストッパ３６の回転操作子３７を時計回りに回転操作して、ヘッド３０の棒状部材５０を把持する力を強めて、棒状部材５０をヘッド３０に固定する。
【００３７】
次に、ユーザは、底部３４の外側面側に大きく突出している棒状部材５０の端部５２側からヘッド側部分３００をボディ２０の大径側端２１を介してボディ２０内に挿入する。この際、棒状部材５０の端部５２は、ボディ２０の大径側端２１側からボディ２０内を通過し、小径側端２２側からボディ２０外へ出る。また、ヘッド側部分３００を挿入していくと、ヘッド３０がその小径側端３４側からボディ２０内に挿入される。そして、ユーザは、図７に示すように、ヘッド３０のフランジ３３のシール面３３Ｓの反対側の面がボディ２０のフランジ２３のシール面２３Ｓに接触するまでヘッド側部分３００をボディ２０内に挿入する。これにより、ボディ２０内にヘッド３０が収容される。この状態では、ヘッド３０の外周面がボディ２０の内周面に接触する。
【００３８】
次に、ユーザは、フランジ２３とフランジ３３が接触した状態で、連結部材４０をその軸から離れる方向に動かして当該連結部材４０を伸ばしつつ、フランジ２３および３３の周縁部の周りに連結部材４０を配置する。そして、ユーザは、連結部材４０の窪み部４２にフランジ２３および３３の両方が挿入されるように、当該連結部材４０をフランジ２３および３３に被せる。これにより、ボディ２０とヘッド３０が連結されて、ヘッド側部分３００、ボディ２０および連結部材４０が一体となる。このようにして、消音器１は、図２に示す収納時の形態に組み替えられる。
【００３９】
次に、ユーザは、図２に示すように、収納時の形態に組み替えられた消音器１をボディの小径側端２０側からベル３内に挿入する。図２に示すように、収納時の形態に組み替えられた消音器１のボディ２０がベル３の内周面に固定されると、ボディ２０の大径側端２１は、ベル３の端面の近傍またはベル３の端面よりも後方に位置する。図２の例では、ボディ２０の大径側端２１は、ベル３の端面に丁度位置している。収納時の形態の消音器１では、ボディ２０内にヘッド３０が収容され、ヘッド３０内にインナーヘッド６０が収容されているため、消音器１全体がベル３内に収容される。
以上が、消音器１を使用時の形態から収納時の形態に組み替える手順である。
【００４０】
消音器１を収納時の形態から使用時の形態に組み替える場合、ユーザは、上述した使用時の形態から収納時の形態に組み替える手順の反対の手順を行えば良い。具体的には、ユーザは、まず、収納時の形態の消音器１をベル３内から取り出す。次に、ユーザは、ボディ２０およびヘッド３０から連結部材４０を取り外してボディ２０とヘッド３０とを分離する。次に、ユーザは、ボディ２０内からヘッド側部分３００を取り出す。次に、ユーザは、ヘッド３０内からインナーヘッド６０を出し、ヘッド側部分３００の姿勢を前後反転する。次に、ユーザは、ボディ２０のフランジ２３のシール面２３Ｓとヘッド３０のフランジ３３のシール面３３Ｓを重ね合わせて、連結部材４０によってフランジ２３とフランジ３３を連結する。
以上が、消音器１の取り扱い方法の一例である。なお、使用時の形態と収納時の形態を相互に組み替える詳細な手順は、上述した手順に限らない。
【００４１】
以上のように、収納時の形態に組み替えられた消音器１では、ボディ２０内にヘッド３０とインナーヘッド６０が収容されている。このため、収納時の形態の消音器１のボディ２０がベル３内に挿入されると、消音器１全体がベル３内のスペースに収容される。従って、本実施形態の消音器１によれば、収納時の形態に組み替えることで、楽器収納ケースにチューバと一緒に消音器１を収納することができる。
【００４２】
また、本実施形態の消音器１では、ボディ２０がベル３内に挿入されてベル３に固定された状態において、当該ボディ２０の大径側端３１がベル３の端面に丁度位置している。このため、収納時の形態に組み替えられた消音器１の全体を確実にベル３内に収容することができ、楽器収納ケースにチューバと一緒に当該消音器１を確実に収納することができる。
【００４３】
また、使用時の形態の消音器１がベル３内に挿入されると、ボディ２０およびヘッド３０によってベル３内の音がミュートされるとともに、インナーヘッド６０によって吹奏による音程のずれが抑えられる。
【００４４】
＜第２実施形態＞
図８および図９は、この発明の第２実施形態による消音器１Ａの構成を示す縦断面図である。本実施形態の消音器１Ａは、本体部１０に代えて本体部１０Ａを有し、かつ、棒状部材５０に代えて棒状部材５０Ａを有する点において第１実施形態の消音器１と異なる。本体部１０Ａは、ボディ２０に代えてボディ２０Ａを有し、かつ、ヘッド３０に代えてヘッド３０Ａを有する点において本体部１０と異なる。本実施形態の消音器１Ａは、第１実施形態の消音器１と同様に、ヘッド３０Ａとボディ２０Ａが連結および分離可能であり、使用時の形態と収納時の形態を相互にとることが可能である。図８は、使用時の形態の消音器１Ａがベル３に装着されている状態を表しており、図９は、収納時の形態の消音器１Ａがベル３内に収容されている状態を表している。第１実施形態の消音器１は、インナーヘッド６０が棒状部材５０を介してヘッド３０に支持される構成であった。これに対して、本実施形態の消音器１Ａは、インナーヘッド６０が棒状部材５０Ａを介してボディ２０Ａに支持される構成である。
【００４５】
ヘッド３０Ａは、底部３４に代えて底部３４Ａを有する点においてヘッド３０と異なる。底部３４Ａは、第１実施形態における貫通孔３５に相当する部分およびストッパ３６に相当する部分が設けられていない点において底部３４と異なる。また、ヘッド３０Ａは、軸方向の長さがボディ２０Ａの軸方向の長さよりも大きい点においてヘッド３０と異なる。また、ヘッド３０Ａは、ボディ２０Ａと同様に、小径側端３２Ａから大径側端３１Ａに進むに従ってベル３の内周面に沿うように大径化している。
【００４６】
棒状部材５０Ａは、その軸方向に長さ調整が可能な構成となっている点において棒状部材５０と異なる。例えば、棒状部材５０Ａは、大径パイプ５０Ａ１内に中径パイプ５０Ａ２が挿入されて繋がっており、中径パイプ５０Ａ２内に小径パイプ５０Ａ３が挿入されて繋がっているテレスコピック（ｔｅｌｅｓｃｏｐｉｃ）構造となっている。大径パイプ５０Ａ１内へ中径パイプ５０Ａ２および小径パイプ５０Ａ３を各々収容して棒状部材５０Ａの軸方向の長さを最も短くしたときの当該棒状部材５０Ａの軸方向の長さは、ボディ２０Ａの軸方向の長さよりも短くなっている。一方、大径パイプ５０Ａ１内から中径パイプ５０Ａ２および小径パイプ５０Ａ３を各々引き出して棒状部材５０Ａの軸方向の長さを最も長くしたときの当該棒状部材５０Ａの軸方向の長さは、ボディ２０Ａの軸方向の長さよりも長くなっている。
【００４７】
ボディ２０Ａの大径側端２１Ａの端面近傍には、棒状部材５０Ａを支持するための支持部材として、ボディ２０Ａの軸の位置に各々の一端が固定され、そこから放射状に延びてボディ２０Ａの内周面に至る複数本のスポークが設けられている。図８には、これらの放射状のスポークのうちの２本のスポーク２５Ａ１および２５Ａ２が図示されている。以下、スポーク２５Ａ１および２５Ａ２を含む複数本のスポークをスポーク２５Ａと総称する。複数本のスポーク２５Ａの各一端の共通の固定位置には、棒状部材５０Ａの一端が固定されている。この棒状部材５０Ａは、ボディ２０Ａの軸に沿って配置されている。また、この棒状部材５０Ａは、最も短縮した状態で当該棒状部材５０Ａの全体がボディ２０Ａ内に収まるように配置されている。複数本のスポーク２５Ａ間には隙間があるため、ボディ２０Ａの大径側端２１Ａは閉塞されていない。また、ボディ２０Ａは、緩衝材２４を介してベル３の内周面に固定された状態において、その大径側端２１Ａの端面がベル３の端面よりも若干後方に位置するように大径側端２１Ａおよび小径側端２２Ａの寸法が決定されている。
【００４８】
棒状部材５０Ａは、当該棒状部材５０Ａにおけるボディ２０Ａの小径側端２１Ａに近い方の端部（すなわち、スポーク２５Ａが固定されている端部５２Ａの反対の端部）５１Ａにおいて、大径パイプ５０Ａ１に対する中径パイプ５０Ａ２および小径パイプ５０Ａ３の引き出しおよび収容が可能となっている。このため、棒状部材５０Ａは、当該棒状部材５０Ａの短縮に応じて端部５１Ａがボディ２０Ａ外から小径側端２１Ａを介してボディ２０Ａ内に収容される。一方、棒状部材５０Ａは、当該棒状部材５０Ａの伸長に応じて端部５１Ａがボディ２０Ａ内から小径側端２１Ａを介してボディ２０Ａ外へ突出する。
【００４９】
棒状部材５０Ａの端部５１Ａ（より正確には、小径パイプ５０Ａ３の端部）は、インナーヘッド６０の底部６４の内側面の中心部分に固定されている。インナーヘッド６０は、棒状部材５０Ａおよび複数本のスポーク２５Ａを介してボディ２０Ａに支持されている。インナーヘッド６０は、棒状部材５０Ａの伸縮に応じて棒状部材５０Ａの軸方向に移動可能になっている。棒状部材５０Ａが最も伸長している状態では、インナーヘッド６０の大径側端６１の端面がボディ２０Ａの小径側端２２Ａの端面に対向する。そして、棒状部材の短縮に応じて、インナーヘッド６０はボディ２０Ａ内に収容される。さらに詳細には、インナーヘッド６０の大径側端６１が複数本のスポーク２５Ａの近傍に配置されると、インナーヘッド６０の小径側端６２は、ボディ２０Ａの小径側端２２Ａの端面よりも内側に配置される。
【００５０】
このように消音器１Ａでは、ボディ２０Ａ内にインナーヘッド６０を収容可能な構成となっている。そして、消音器１Ａでは、インナーヘッド６０が収容されたボディ２０Ａをヘッド３０内に収容可能になっている。
【００５１】
消音器１Ａにミュート機能を発揮させる場合、ユーザは、ヘッド３０Ａのフランジ３３のシール面３３Ｓをボディ２０Ａのフランジ２３のシール面２３Ｓに重ね合わせて連結部材４０によってフランジ３３および２３を挟んでヘッド３０Ａとボディ２０Ａを連結する。また、ユーザは、インナーヘッド６０の小径側端６２がボディ２０外に配置されるように、インナーヘッド６０をボディ２０Ａ内から引き出す。このようにして、ユーザは、消音器１Ａを図８に示す使用時の形態に組み立てて、消音器１Ａをベル３内へ挿入する。
【００５２】
次に、使用していた消音器１Ａを収納する場合について説明する。図１０〜図１２は、使用時の形態から収納時の形態へ組み替える手順を説明する消音器１Ａの組み立て図である。ユーザは、使用していた消音器１を収納する場合、図８→図１０→図１１→図１２→図９の順に消音器１Ａの形態を変える。
【００５３】
まず、ユーザは、消音器１Ａをベル３外に取り外す。次に、ユーザは、連結部材４０をフランジ２３および３３から取り外して、連結されていたボディ２０Ａとヘッド３０Ａとを分離する。ボディ２０Ａとヘッド３０Ａとが分離されると、図１０に示すように、消音器１Ａは、ボディ２０Ａと棒状部材５０Ａとインナーヘッド６０とが一体となった部分（以下、ボディ側部分２００Ａと呼ぶ）と、ヘッド３０Ａと、連結部材４０とに分かれる。
【００５４】
次に、ユーザは、図１１に示すように、ボディ側部分２００Ａにおいて、インナーヘッド６０の小径側端６２がボディ２０Ａ内に配置されるように、インナーヘッド６０をボディ２０Ａの小径側端２２Ａを介してボディ２０Ａ内に収容する。そして、ユーザは、ボディ側部分２００Ａとヘッド３０Ａの位置を入れ替え、ヘッド３０Ａの大径側端３１Ａの端面をボディ２０Ａの小径側端２２Ａの端面に対向させる。
【００５５】
次に、ユーザは、図１２に示すように、ボディ２０Ａの小径側端２２Ａ側からボディ側部分２００Ａをヘッド３０Ａ内へ挿入する。このとき、ユーザは、ボディ２０Ａのフランジ２３のシール面２３Ｓの反対側の面がヘッド３０Ａのフランジ３３のシール面３３Ｓに接触するまでボディ側部分２００Ａを挿入する。ボディ２０Ａがヘッド３０Ａ内に収容されると、ボディ２０Ａの緩衝材２４はヘッド３０Ａの内周面に接触し、ボディ２０Ａの外周面は、ヘッド３０Ａの内周面の近傍に位置する。そして、ユーザは、第１実施形態と同様にして、連結部材４０をフランジ２３および３３に取り付けて、ボディ２０Ａとヘッド３０Ａを連結する。これにより、ボディ側部分２００Ａ、ヘッド３０Ａおよび連結部材４０が一体となる。このようにして、消音器１Ａは、収納時の形態に組み替えられる。なお、ヘッド３０Ａのパイプ３９は、ボディ側部分２００Ａのヘッド３０Ａ内への収容を妨げないように設けられている。
【００５６】
次に、ユーザは、図９に示すように、収納時の形態に組み替えられた消音器１Ａをヘッド３０Ａの小径側端３２Ａ側からベル３内に挿入する。ヘッド３０Ａは、ヘッド３０Ａの外周面がベル３の内周面に接触する程度まで挿入される。ヘッド３０Ａがボディ２０Ａと同様にベル３の内周面に沿うように大径化しているため、収納時の形態に組み替えられた消音器１Ａがベル３内に収容されると、ヘッド３０Ａの大径側端３１Ａおよびボディ２０Ａの大径側端２１Ａは、ベル３の端面の近傍またはベル３の端面よりも後方に位置する。図９の例では、ボディ２０Ａの大径側端２１Ａは、ベル３の端面に丁度位置している。
【００５７】
消音器１Ａを収納時の形態から使用時の形態に組み替える場合、ユーザは、上述した使用時の形態から収納時の形態に組み替える手順の反対の手順を行えば良い。具体的には、ユーザは、まず、収納時の形態の消音器１Ａをベル３内から取り出す。次に、ユーザは、ボディ２０Ａおよびヘッド３０Ａから連結部材４０を取り外してボディ２０とヘッド３０とを分離する。次に、ユーザは、ボディ側部分２００Ａをヘッド３０Ａ内から取り出す。次に、ユーザは、ヘッド３０Ａの姿勢を前後反転して、ヘッド３０Ａとボディ側部分２００Ａの位置を入れ替える。次に、ユーザは、ボディ２０Ａ内からインナーヘッド６０を引き出す。次に、ユーザは、ボディ２０Ａのフランジ２３のシール面２３Ｓとヘッド３０Ａのフランジ３３のシール面３３Ｓを重ね合わせて、連結部材４０によってフランジ２３とフランジ３３を連結する。
以上が、消音器１Ａの取り扱い方法の一例である。なお、使用時の形態と収納時の形態を相互に組み替える詳細な手順は、上述した手順に限らない。
【００５８】
以上のように、本実施形態の消音器１Ａは、収納時の形態において、ヘッド３０Ａ内にボディ２０Ａが収容され、ボディ２０Ａ内にインナーヘッド６０が収容される。消音器１Ａでは、ボディ２０Ａと同様な形状のヘッド３０Ａ内にボディ２０Ａとインナーヘッド６０が収容されるため、当該消音器１Ａの全体がベル３内に収容可能である。従って、消音器１Ａでは、第１実施形態と同様の効果が得られる。
【００５９】
＜第３実施形態＞
図１３および図１４は、この発明の第３実施形態による消音器１Ｂの構成を示す縦断面図である。本実施形態の消音器１Ｂは、本体部１０Ａに代えて本体部１０Ｂを有し、棒状部材５０Ａに代えて棒状部材５０Ｂを有し、インナーヘッド６０に代えてインナーヘッド６０Ｂを有する点において第２実施形態の消音器１Ａと異なる。本体部１０Ｂは、ヘッド３０Ａに代えてヘッド３０Ｂを有する点において本体部１０Ａと異なる。図１３は、使用時の形態の消音器１Ｂがベル３に装着された状態を表しており、図１４は、収納時の形態の消音器１Ｂがベル３内に収容された状態を表している。消音器１Ｂは、消音器１Ａと同様に、収納時の形態において、ヘッド３０Ｂ内にボディ２０Ａが収容され、ボディ２０Ａ内にインナーヘッド６０Ｂが収容される。
【００６０】
ヘッド３０Ｂは、底部３４Ａに代えて底部３４Ｂを有する点においてヘッド３０Ａと異なる。底部３４Ｂは、空気穴３８およびパイプ３９の設けられる位置が底部３４Ｂの中心である点において底部３４Ａと異なる。すなわち、空気穴３８およびパイプ３９の軸はヘッド３０Ｂの軸と重なっている。
【００６１】
棒状部材５０Ｂは、空気穴３８の径およびパイプ３９の内径よりも外径が小さい円柱状の棒状の部材である。棒状部材５０Ｂの軸方向の長さは、ボディ２０Ａの軸方向の長さよりも長くなっている。棒状部材５０Ｂは、ボディ２０Ａの軸に沿って配置されている。棒状部材５０Ｂの一方の端部５２Ｂは、ボディ２０Ａ内における大径側端２１Ａの端面の近傍に配置されている。棒状部材５０Ｂは、ボディ２０Ａ内において大径側端２１Ａの端面の近傍からボディ２０Ａの小径側端２２Ａの端面へ向かう方向へ延びており、棒状部材５０Ｂの他方の端部５１Ｂがボディ２０Ａ外に配置されている。棒状部材５０Ｂの大径側の端部５２Ｂは、第２実施形態と同様に、複数本のスポーク２５Ａを介してボディ２０Ａに固定されている。
【００６２】
インナーヘッド６０Ｂは、底部６４に代えて底部６４Ｂを有する点においてインナーヘッド６０と異なる。底部６４Ｂは、板状の当該底部６４Ｂの中心に当該底部６４Ｂを貫通する円形の貫通孔６５Ｂを有する点において底部６４と異なる。
【００６３】
貫通孔６５Ｂには、棒状部材５０Ｂが挿入されている。棒状部材５０Ｂが貫通孔６５Ｂに挿入された状態で、端部５２Ｂは、底部６４Ｂの内側面側に配置されている。棒状部材５０Ｂは、底部６４Ｂに対して当該棒状部材５０Ｂが軸方向に摺動し得る程度の摩擦力をもって貫通孔６５Ｂの周縁部分に接している。すなわち、インナーヘッド６０Ｂは、棒状部材５０Ｂに沿って摺動可能になっており、棒状部材５０Ｂおよび複数本のスポーク２５Ａを介してボディ２０Ｂに支持される。
【００６４】
図１に示すように、棒状部材５０Ｂの端部５１Ｂが底部６４Ｂ近傍に位置する状態では、インナーヘッド６４の大径側端６１Ｂの端面がボディ２０Ａの小径側端２２Ａの端面に対向する。そして、端部５１Ｂから端部５２Ｂに向かう方向のインナーヘッド６０Ｂの摺動に応じて、インナーヘッド６０Ｂは、ボディ２０Ａの小径側端２２Ａを介してボディ２０Ａ内に収容される。さらに詳細には、インナーヘッド６０Ｂの大径側端６１Ｂが複数本のスポーク２５Ａの近傍に配置されると、インナーヘッド６０Ｂの小径側端６２Ｂは、ボディ２０Ａの小径側端２２Ａの内側に配置される。
【００６５】
消音器１Ｂでは、端部５１Ｂから端部５２Ｂに向かう方向のインナーヘッド６０Ｂの摺動に応じた量だけ、棒状部材５０Ｂの端部５１Ｂが底部６４の外側面側に突出する。そこで、消音器１Ｂでは、図２に示す収納時の形態において、底部６４Ｂの外側面側から突出する棒状部材５０Ｂの端部５１Ｂ側部分が空気穴３８およびパイプ３９内に挿入される。
【００６６】
消音器１Ｂにミュート機能を発揮させる場合、ユーザは、ヘッド３０Ｂのフランジ３３のシール面３３Ｓをボディ２０Ａのフランジ２３のシール面２３Ｓに重ね合わせて連結部材４０によってフランジ３３および２３を挟んでヘッド３０Ｂとボディ２０Ａを連結する。また、ユーザは、インナーヘッド６０Ｂの小径側端６２Ｂがボディ２０Ａ外に配置されるように、インナーヘッド６０Ｂを摺動してボディ２０Ａ内から引き出す。このようにして、ユーザは、消音器１Ｂを図１３に示す使用時の形態に組み立ててベル３内へ挿入する。
【００６７】
次に、使用していた消音器１Ｂを収納する場合について説明する。図１５〜図１７は、使用時の形態から収納時の形態へ組み替える手順を説明する消音器１Ｂの組み立て図である。ユーザは、使用していた消音器１Ｂを収納する場合、図１３→図１５→図１６→図１７→図１４の順に消音器１Ｂの形態を変える。
【００６８】
まず、ユーザは、消音器１Ｂをベル３外に取り外し、第２実施形態と同様に、ボディ２０Ａとヘッド３０Ｂとを分離する。ボディ２０Ａとヘッド３０Ｂとが分離されると、図１５に示すように、消音器１Ｂは、ボディ２０Ａと棒状部材５０Ｂとインナーヘッド６０Ｂとが一体となった部分（以下、ボディ側部分２００Ｂと呼ぶ）と、ヘッド３０Ｂと、連結部材４０とに分かれる。
【００６９】
次に、ユーザは、図１６に示すように、ボディ側部分２００Ｂにおいて、端部５１Ｂから端部５２Ｂに向かう方向へインナーヘッド６０Ｂを摺動し、インナーヘッド６０Ｂの小径側端６２Ｂがボディ２０Ａ内に配置されるように、インナーヘッド６０Ｂをボディ２０Ａ内に収容する。そして、ユーザは、ボディ側部分２００Ｂとヘッド３０Ｂの位置を入れ替え、ヘッド３０Ｂの大径側端３１Ｂの端面をボディ２０Ａの小径側端２２Ａの端面に対向させる。
【００７０】
次に、ユーザは、図１６に示すように、ボディ側部分２００Ｂの軸とヘッド３０Ｂの軸が同一直線上に位置するようにし、棒状部材５０Ｂを端部５１Ｂ側からヘッド３０Ｂのパイプ３９内に挿入する。棒状部材５０Ｂをパイプ３９に挿入していくと、ボディ２０Ａがその小径側端２２Ａからヘッド３０Ｂ内へ挿入される。このようにして、ユーザは、ボディ２０Ａのフランジ２３のシール面２３Ｓの反対側の面がヘッド３０Ｂのフランジ３３のシール面３３Ｓに接触するまでボディ２０Ａをヘッド３０Ｂ内に挿入する。ボディ２０Ａがヘッド３０Ｂ内に収容されると、ボディ２０Ａの緩衝材２４はヘッド３０Ｂの内周面に接触し、ボディ２０Ａの外周面は、ヘッド３０Ｂの内周面の近傍に位置する。そして、ユーザは、第２実施形態と同様にして、連結部材４０をフランジ２３および３３に取り付けて、ボディ２０Ａとヘッド３０Ｂを連結する。これにより、図１７に示すように、ボディ側部分２００Ｂ、ヘッド３０Ｂおよび連結部材４０が一体となる。このようにして、消音器１Ｂは、図１４に示す収納時の形態に組み替えられる。
【００７１】
次に、ユーザは、図１４に示すように、収納時の形態に組み替えられた消音器１Ｂを第２実施形態の消音器１Ａと同様にベル３内に挿入する。収納時の形態に組み替えられた消音器１Ｂがベル３内に収容されると、ヘッド３０Ｂの大径側端３１Ｂおよびボディ２０Ａの大径側端２１Ａは、ベル３の端面の近傍またはベル３の端面よりも後方に位置する。
【００７２】
消音器１Ｂを収納時の形態から使用時の形態に組み替える場合、ユーザは、上述した使用時の形態から収納時の形態に組み替える手順の反対の手順を行えば良い。第２実施形態の消音器１Ａにおける手順とほぼ同様であるため、説明は省略する。
以上が、消音器１Ｂの取り扱い方法の一例である。なお、使用時の形態と収納時の形態を相互に組み替える詳細な手順は、上述した手順に限らない。
【００７３】
以上のように、本実施形態の消音器１Ｂは、第２実施形態と同様に、収納時の形態において、ヘッド３０Ｂ内にボディ２０Ａが収容され、ボディ２０Ａ内にインナーヘッド６０Ｂが収容される。従って、消音器１Ｂは、第２実施形態と同様の効果が得られる。
【００７４】
＜第４実施形態＞
図１８および図１９は、この発明の第４実施形態による消音器１Ｃの構成を示す縦断面図である。図１８は、使用時の形態の消音器１Ｃがベル３に装着された状態を表しており、図１９は、収納時の形態の消音器１Ｃがベル３内に収容されている状態を表している。本実施形態の消音器１Ｃは、本体部１０に代えて本体部１０Ｃを有する点において第２実施形態の消音器１Ａと異なる。本体部１０Ｃは、ヘッド３０Ａに代えてヘッド３０Ｃ、ボディ２０Ａに代えてボディ２０Ｃ、連結部材４０に代えて連結部材４０Ｃを有する点において本体部１０と異なる。
【００７５】
ヘッド３０Ｃは、底部３４Ａに代えて底部３４Ｃを有する点においてヘッド３０Ａと異なる。底部３４Ｃは、第３実施形態の底部３４Ｂと同様に、空気穴３８およびパイプ３９の設けられる位置が底部３４Ｃの中心である点において底部３４Ａと異なる。
【００７６】
ボディ２０Ｃは、第１ボディ２０Ｃ１と第２ボディ２０Ｃ２から構成されている点においてボディ２０Ａと異なる。第１ボディ２０Ｃ１と第２ボディ２０Ｃ２は、互いに分離可能になっている。
【００７７】
第１ボディ２０Ｃ１は、略円錐管状に構成された中空の部材である。第１ボディ２０Ｃ１は、小径側端２２Ｃ１から大径側端２１Ｃ１に進むに従ってベル３の内周面に沿うように大径化している。第１ボディ２０Ｃ１の大径側端２１Ｃ１および小径側端２２Ｃ１は、共に開口している。第１ボディ２０Ｃ１の外周面には、緩衝材２４が設けられている。第１ボディ２０Ｃ１はその小径側端２２Ｃ１側からベル３内に挿入される。第１ボディ２０Ｃ１の大径側端２１Ｃ１には、第１ボディ２０Ｃ１の軸から遠ざかる方向に大径側端２１Ｃ１から張り出す板状のフランジ２３Ｃ１が設けられている。
【００７８】
第２ボディ２０Ｃ２は、円環状の部材である。第２ボディ２０Ｃ２の内径は、第１ボディ２０Ｃ１の大径側端２１Ｃ１の内径およびヘッド３０Ｃの大径側端３１Ｃの内径と同じになっている。第２ボディ２０Ｃ２の外径は、第１ボディ２０Ｃ１のフランジ２３Ｃ１の外径およびヘッド３０Ｃのフランジ３３の外径と同じになっている。第２ボディ２０Ｃ２の軸方向の長さは、第１ボディ２０Ｃ１の軸方向の長さに比べ大幅に短くなっている。例えば、第２ボディ２０Ｃ２の軸方向の長さは、第１ボディ２０Ｃ１のフランジ２３Ｃ１の厚さと同程度になっている。
【００７９】
第２ボディ２０Ｃ２は、第２ボディ２０Ｃ２の軸と第１ボディ２０Ｃ１の軸が同一直線上に位置するようにして第１ボディ２０Ｃ１の大径側端２１Ｃ１側に配置される。第１ボディ２０Ｃ１および第２ボディ２０Ｃ２の軸上には、第２実施形態と同様の長さ調整が可能な棒状部材５０Ａが配置される。棒状部材５０Ａの端部５１Ａは、第２ボディ２０Ｃ２における第１ボディ２０Ｃ１側の端面の近傍に配置される。棒状部材５０Ａの端部５１Ａには、第２実施形態と同様の複数本のスポーク２５Ａの一端が固定されている。複数本のスポーク２５Ａの他端は、第２ボディ２０Ｃ２の内周面に固定されている。
【００８０】
連結部材４０Ｃは、第１ボディ２０Ｃ１の大径側端２１Ｃ１のフランジ２３Ｃ１と第２ボディ２０Ｃ２とヘッド３０Ｃの大径側端３１Ｃのフランジ３３とを連結する部材である。連結部材４０Ｃの具体的な構成は、第１実施形態の連結部材４０と同様である。連結部材４０Ｃでは、窪み部４２の内幅４２Ｗがフランジ２３Ｃ１の厚さとフランジ３３の厚さと第２ボディ２０Ｃ２の軸方向の長さを合わせた厚さよりも若干小さくなっている。また、連結部材４０Ｃの内径は、第２ボディ２０Ｃ２の外径およびフランジ２３Ｃ１および３３の外径よりも小さくなっている。
【００８１】
図１８に示す使用時の形態の消音器１Ｃでは、第１ボディ２０Ｃ１の大径側端２１Ｃ１とヘッド３０Ｃの大径側端３１Ｃとを向い合せた姿勢で第１ボディ２０Ｃ１およびヘッド３０Ｃが配置され、その第１ボディ２０Ｃ１の大径側端２１Ｃ１とヘッド３０Ｃの大径側端３１Ｃの間に第２ボディ２０Ｃ２が配置されている。第２ボディ２０Ｃ２における第１ボディ２０Ｃ１側に位置している端部２１Ｃ２の端面は、第１ボディ２０Ｃ１の大径側端２１Ｃ１の端面であるフランジ２３Ｃ１のシール面２３Ｃ１Ｓに重ね合されている。第２ボディ２０Ｃ２における端部２１Ｃ２の反対側の端部２２Ｃ２の端面は、ヘッド３０Ｃの大径側端３１Ｃの端面であるフランジ３３のシール面３３Ｓに重ね合されている。連結部材４０Ｃは、その窪み部４２に第１のボディ２０Ｃ１のフランジ２３Ｃ１と第２のボディ２０Ｃ２とヘッド３０Ｃのフランジ３３とが挿入されるように、第２のボディ２０Ｃ２およびフランジ２３Ｃ１および３３に取り付けられる。連結部材４０Ｃが取り付けられると、第２のボディ２０Ｃ２およびフランジ２３Ｃ１および３３は互いに押し合わされる。これにより、第１ボディ２０Ｃ１と第２ボディ２０Ｃ２とヘッド３０Ｃとが連結されて互いに固定される。このようにして第１ボディ２０Ｃ１と第２ボディ２０Ｃ２とヘッド３０Ｃとが連結されると、第１ボディ２０Ｃ１と第２ボディ２０Ｃ２との間および第２ボディ２０Ｃ２とヘッド３０Ｃとの間は密閉される。また、このような状態では、第１ボディ２０Ｃ１の内周面に囲まれた空間（第１ボディ２０Ｃ１内の空間）と第２ボディ２０Ｃ２の内周面に囲まれた空間（第２ボディ２０Ｃ２内の空間）とヘッド３０Ｃの内周面に囲まれた空間（ヘッド３０Ｃ内の空間）とが一体となった空間ＳＣが形成される。
【００８２】
次に、消音器１Ｃの取り扱いについて説明する。まず、消音器１Ｃを使用する場合について説明する。ユーザは、第２ボディ２０Ｃ２の端部２１Ｃ２の端面を第１ボディ２０Ｃ１のフランジ２３Ｃ１のシール面２３Ｃ１Ｓに重ね合わせ、ヘッド３０Ｃのフランジ３３のシール面３３Ｓを第２ボディ２０Ｃ２の端部２２Ｃ２の端面に重ね合わせて、連結部材４０Ｃによってフランジ２３Ｃ１と第２ボディ２０Ｃ２とフランジ３３とを挟んで第１ボディ２０Ｃ１と第２ボディ２０Ｃ２とヘッド３０Ｃを連結する。また、ユーザは、インナーヘッド６０の小径側端６２が第１ボディ２０Ｃ１外に配置されるように、インナーヘッド６０を移動する。このようにして、ユーザは、消音器１Ｃを使用時の形態に組み立てて、消音器１Ｃをベル３内に挿入する。使用時の形態の消音器１Ｃの第１ボディ２０Ｃ１がベル３の内周面に固定されると、第１ボディ２０Ｃ１と第２ボディ２０Ｃ２とを合わせたボディ２０Ｃの大径側端（すなわち、第２ボディ２０Ｃ２の端部２２Ｃ２）の端面がベル３の端面の近傍またはベル３の端面よりも後方に位置する。
【００８３】
次に、使用していた消音器を収納する場合について説明する。図２０〜図２２は、使用時の形態から収納時の形態へ組み替える手順を説明する消音器１Ｃの組み立て図である。使用時の形態から収納時の形態へ組み替える場合、図１８→図２０→図２１→図２２→図１９の順に消音器１Ｃの形態が変わる。
【００８４】
まず、ユーザは、消音器１Ｃをベル３外に取り外す。次に、ユーザは、第２実施形態と同様にして、連結部材４０Ｃを第１ボディ２０Ｃ１のフランジ２３Ｃ１と第２ボディ２０Ｃ２とヘッド３０Ｃのフランジ３３とに取り付けられた連結部材４０Ｃを取り外して、第１ボディ２０Ｃ１と第２ボディ２０Ｃ２とヘッド３０Ｃとを分離する。これらが分離されると、図２０に示すように、消音器１Ｃは、第２ボディ２０Ｃ２と棒状部材５０Ｂとインナーヘッド６０とが一体となった部分（以下、第２ボディ側部分２００Ｃ２と呼ぶ）と、第１ボディ２０Ｃ１と、ヘッド３０Ｃと、連結部材４０Ｃとに分かれる。
【００８５】
次に、ユーザは、図２１に示すように、第２ボディ側部分２００Ｃ２において、棒状部材５０Ａを短縮してインナーヘッド６０の大径側端６１が複数本のスポーク２５Ａの近傍に位置するようにインナーヘッド６０を移動する。次に、ユーザは、第２ボディ側部分２００Ｃ２とヘッド３０Ｃの位置を入れ替えるようにして第２ボディ側部分２００Ｃ２と第１ボディ２０Ｃ１の間にヘッド３０Ｃを配置する。そして、ユーザは、ヘッド３０Ｃの小径側端３２Ｃが第１ボディ２０Ｃ１側に位置しヘッド３０Ｃの大径側端３１Ｃ１が第２ボディ２０Ｃ２側に位置するようにヘッド３０Ｃの姿勢を前後反転する。
【００８６】
次に、ユーザは、ヘッド３０Ｃのフランジ３３のシール面３３Ｓの反対側の面が第１ボディ２０Ｃ１のフランジ２３Ｃ１のシール面２３Ｃ１Ｓに接触するまでヘッド３０Ｃを小径側端３２Ｃ側から第１ボディ２０Ｃ１内に挿入する。ヘッド３０Ｃが第１ボディ２０Ｃ１内に収容されると、ヘッド３０Ｃの外周面は第１ボディ２０Ｃ１の内周面に接触する。次に、ユーザは、第２ボディ２０Ｃ２の端部２１Ｃ２がヘッド３０Ｃのフランジ３３のシール面３３Ｓに接触するまでインナーヘッド６０を小径側端６２側からヘッド３０Ｃ内に挿入する。そして、ユーザは、連結部材４０Ｃをフランジ２３Ｃ１と第２ボディ２０Ｃ２とフランジ３３とに取り付けて第１ボディ２０Ｃ１と第２ボディ２０Ｃ２とヘッド３０Ｃを連結する。これにより、第２ボディ側部分２００Ｃ２、ヘッド３０Ｃ、第１ボディ２０Ｃ１および連結部材が一体となる。このようにして、消音器１Ｃは、収納時の形態に組み替えられる。
【００８７】
次に、ユーザは、図１９に示すように、収納時の形態に組み替えられた消音器１Ｃを第１実施形態の消音器１と同様にベル３内に挿入する。収納時の形態に組み替えられた消音器１Ｃがベル３内に収容されると、第２ボディ２０Ｃ２の端部２２Ｃ２は、ベル３の端面の近傍またはベル３の端面よりも後方に位置する。
【００８８】
消音器１Ｃを収納時の形態から使用時の形態に組み替える場合、ユーザは、上述した使用時の形態から収納時の形態に組み替える手順の反対の手順を行えば良い。具体的には、ユーザは、まず、収納時の形態の消音器１Ｃをベル３内から取り出す。次に、ユーザは、第１ボディ２０Ｃ１と第２ボディ２０Ｃ２とヘッド３０Ｃから連結部材４０Ｃを取り外して第１ボディ２０Ｃ１と第２ボディ２０Ｃ２とヘッド３０Ｃとを分離する。次に、ユーザは、ヘッド３０Ｃを第１ボディ側部分２０Ｃ１内から取り出し、第２ボディ側部分２００Ｃ２をヘッド３０Ｃから取り出す。次に、ユーザは、ヘッド３０Ｃの姿勢を前後反転して、ヘッド３０Ｃと第２ボディ側部分２００Ｃ２の位置を入れ替える。次に、ユーザは、第２ボディ側部分２００Ｃ２において棒状部材５０Ａを伸長する。次に、ユーザは、第１ボディ２０Ｃ１のフランジ２３Ｃ１のシール面２３Ｃ１Ｓと第２ボディ２０Ｃ２の端部２１Ｃ２とを重ね合わせ、第２ボディ２０Ｃ２の端部２２Ｃ２とヘッド３０Ｃのフランジ３３のシール面３３Ｓを重ね合わせて、連結部材４０Ｃによって第２ボディ２０Ｃ２およびフランジ２３Ｃ１および３３を連結する。
以上が、消音器１Ｃの取り扱い方法の一例である。なお、使用時の形態と収納時の形態を相互に組み替える詳細な手順は、上述した手順に限らない。
【００８９】
以上のように、本実施形態の消音器１Ｃは、収納時の形態において、第１ボディ２０Ｃ１内にヘッド３０Ｃが収容され、ヘッド３０Ｃ内にインナーヘッド６０が収容される。そして、この収納時の形態の消音器１Ｃは、当該消音器１Ｃの全体がベル３内に収容可能である。従って、消音器１Ｃは、第１実施形態と同様の効果が得られる。
【００９０】
＜他の実施形態＞
以上、この発明の各実施形態について説明したが、この発明には他にも実施形態が考えられる。例えば次の通りである。
【００９１】
（１）各実施形態の消音器１〜１Ｃは、チューバ用の消音器であった。チューバは、その音域や用途によってベルのサイズが異なっている。消音器１〜１Ｃは、使用が想定されるサイズのチューバに最適に設計されている。しかし、ユーザは、別のサイズのチューバに消音器１〜１Ｃを装着して使用しても良い。また、ユーザは、消音器１〜１Ｃを、例えば、ユーフォニウムなどのチューバ以外の管楽器に装着しても良い。
【００９２】
図２３は、使用時の形態に組み替えた消音器１を、想定のベルよりも小さいベル３Ｄのチューバに装着したときの消音器１の縦断面図である。図２３に示すように、ユーザは、使用時の形態の消音器１を装着する際、ベル３Ｄのサイズに合わせてインナーヘッド６０の位置を調整する。具体的には、ユーザは、想定のベル３のチューバに装着する場合に比べて、インナーヘッド６０の小径側端６２の位置がボディ２０の小径側端２２に近くなるように棒状部材５０を摺動して固定する。このようにインナーヘッド６０の位置を移動することで、インナーヘッド６０によってベル３Ｄ内が塞がれるのを防止しすることができ、ミュートした音の音程のずれを低減する効果が低くなるのを防止することができる。
【００９３】
（２）各実施形態の技術的思想を、例えばトランペットやトロンボーンなどの他の管楽器用の消音器に適用しても良い。
【００９４】
（３）各実施形態の消音器１〜１Ｃにマイク、ジャック、電子部品などを搭載しても良い。例えば、第１実施形態の消音器１において、棒状部材５０のインナーヘッド６０側の端部５１にマイクを設け、棒状部材５０のヘッド３０側の端部５２にジャックを設け、棒状部材５０内にマイクとジャックを結ぶ信号線を設けても良い。この構成によれば、ベル３内に発生する音を表す信号をジャックに接続されるケーブルを介して取り出すことができる。
【００９５】
（４）第１実施形態の消音器１では、インナーヘッド６０が円柱状の棒状部材５０を介してヘッド３０に固定されていた。この棒状部材５０を、第２実施形態の棒状部材５０Ａのように、伸縮可能な構成としても良い。棒状部材を伸縮可能な構成にすると、棒状部材がヘッド内に収容可能になるため、収納時の形態に組み替えられた消音器を、第１実施形態の消音器１に比べて、より小さくすることができる。
【００９６】
（５）第１実施形態の消音器１では、ゴムなどで構成された円環状の連結部材４０によってボディ２０とヘッド３０を連結していた。しかし、ヘッド３０がボディ２０に連結および分離可能であれば良く、連結手段はこの態様の連結部材４０に限らない。例えば、連結手段は、フランジ２３と３３とを貫通するボルトと、そのボルトの両端に取り付けられるナットとから構成されていても良い。また、他の例では、ヘッド３０のフランジ３３のシール面３３Ｓに突起を設け、この突起に対応する窪みをボディ２０のフランジ２３のシール面２３Ｓに設け、ヘッド３０の突起をボディ２０の窪みに所定の摩擦力をもって挿入および取り外し可能な構成にしても良い。他の実施形態においても同様である。
【００９７】
（６）第１実施形態の消音器１では、ボディ２０の大径側端２１とヘッド３０の大径側端３１とを連結部材４０によって連結していた。しかし、ボディとヘッドを連結する手段が設けられる位置は、ボディ２０とヘッド３０とが接触する部分に限らない。例えば、連結手段は、ヘッド３０の大径側端３１からボディ２０の外周面にかけて設けられても良いし、ヘッド３０の外周面からボディ２０の外周面にかけて設けられても良い。
【００９８】
（７）第１実施形態の消音器１では、ミュート機能を発揮させる本体部１０がボディ２０とヘッド３０に２分割されており、第４実施形態の消音器１Ｃでは、そのような本体部１０Ｃが第１ボディ２０Ｃ１と第２ボディ２０Ｃ２とヘッド３０Ｃに３分割されていた。しかし、本体部は、さらに多くの部分に分割されても良い。例えば、ヘッドをさらに２分割しても良いし、ボディを３分割にしても良い。
【００９９】
（８）第１実施形態の消音器１の連結部材４０は、使用時の形態と収納時の形態の双方においてボディ２０とヘッド３０とを連結していた。しかし、連結部材４０は、少なくとも使用時の形態においてボディ２０とヘッド３０とを連結可能であれば良く、収納時の形態においてボディ２０とヘッド３０とを連結しなくても良い。収納時の形態では、少なくともボディ２０内にヘッド３０が収容されれば良いからである。他の実施形態においても同様である。
【０１００】
（９）各実施形態の消音器１〜１Ｃは、主に吹奏練習に使用される消音型の消音器であった。しかし、各消音器１〜１Ｃの技術的特徴を、音量を小さくして音色を変化させることを主目的としたストレートミュート等の音色用ミュートに適用しても良い。
【符号の説明】
【０１０１】
１，１Ａ，１Ｂ，１Ｃ…消音器、３，３Ｄ…ベル、１０，１０Ａ，１０Ｂ，１０Ｃ…本体部、２０，２０Ａ，２０Ｃ…ボディ、２０Ｃ１…第１ボディ、２０Ｃ２…第２ボディ、２１，２１Ａ，２１Ｃ１，３１，３１Ａ，３１Ｂ，３１Ｃ，６１，６１Ｂ…大径側端、２２，２２Ａ，２２Ｃ１，３２，３２Ａ，３２Ｂ，３２Ｃ，６２，６２Ｂ…小径側端、２３，２３Ｃ１，３３…フランジ、２３Ｓ，２３Ｃ１Ｓ，３３Ｓ…シール面、２４…緩衝材、３０，３０Ａ，３０Ｂ，３０Ｃ…ヘッド、３４，３４Ａ，３４Ｂ，３４Ｃ，６４，６４Ｂ…底部、３５…貫通孔、３６…ストッパ、３７…回転操作子、３８…空気穴、３９…パイプ、４０，４０Ｃ…連結部材、５０，５０Ａ，５０Ｂ…棒状部材、５１，５１Ａ，５１Ｂ，５２，５２Ａ，５２Ｂ…端部、５３…ツバ、６０，６０Ｂ…インナーヘッド、２００…ベル側部分、２００Ａ，２００Ｂ…ボディ側部分、２００Ｃ２…第２ボディ側部分、Ｓ，ＳＡ，ＳＢ，ＳＣ…空間。
【図１】
0006569399.tif 000002
【図２】
0006569399.tif 000003
【図３】
0006569399.tif 000004
【図４】
0006569399.tif 000005
【図５】
0006569399.tif 000006
【図６】
0006569399.tif 000007
【図７】
0006569399.tif 000008
【図８】
0006569399.tif 000009
【図９】
0006569399.tif 000010
【図１０】
0006569399.tif 000011
【図１１】
0006569399.tif 000012
【図１２】
0006569399.tif 000013
【図１３】
0006569399.tif 000014
【図１４】
0006569399.tif 000015
【図１５】
0006569399.tif 000016
【図１６】
0006569399.tif 000017
【図１７】
0006569399.tif 000018
【図１８】
0006569399.tif 000019
【図１９】
0006569399.tif 000020
【図２０】
0006569399.tif 000021
【図２１】
0006569399.tif 000022
【図２２】
0006569399.tif 000023
【図２３】
0006569399.tif 000024